(57)【要約】  互いに対して移動可能であり、且つ、縁部（７，８）を有する実質的にＶ字形状の歯（４，６）の配列をそれぞれ備える切断部材（３，５）と、毛を捕捉するために、協働する歯（４，６）の各組の間の切断開口（９'，９”）とを備え、切断開口は、１°と３０°との間の剪断角度を有し、切断開口は、シェービング装置の動作中に完全に閉塞されないシェービング装置。
2007530127.tif 000002
【特許請求の範囲】
【請求項１】
互いに対して移動可能であり、且つ、少なくとも１つの縁部をそれぞれ備える２つの協働する切断部材を含むシェービング装置であり、前記切断部材の前記縁部は協働し、毛を捕捉するために、前記切断部材の前記縁部の間に切断開口が存在し、該切断開口は、当該シェービング装置のシェービング方向に見られるときに拡散するシェービング装置であって、前記切断開口は、当該シェービング装置の動作中に完全に閉塞されないことを特徴とするシェービング装置。
【請求項２】
各切断部材は、歯縁部を備える実質的にＶ字形状の歯の配列を含むことで、複数組の協働する歯縁部を定め、該協働する歯縁部の各組は、剪断角度を囲むのに対し、前記協働する歯縁部の各組の少なくとも１つの歯縁部は、切断縁部を備えることを特徴とする、請求項１に記載のシェービング装置。
【請求項３】
双方の歯縁部は、前記切断開口が動作中に閉塞される領域に切断縁部を備えることを特徴とする、請求項２に記載のシェービング装置。
【請求項４】
前記歯の先端と前記切断縁部との間のゾーン内の前記２つの協働する歯縁部の一方は、前記切断開口内に捕捉される毛のための当接部を形成することを特徴とする、請求項３に記載のシェービング装置。
【請求項５】
双方の歯縁部は、それらの全長に亘って切断縁部を備えることを特徴とする、請求項２に記載のシェービング装置。
【請求項６】
前記協働する歯縁部間の前記剪断角度は、５°と２５°との間であることを特徴とする、請求項２乃至５のうちいずれか１項に記載のシェービング装置。
【請求項７】
前記切断部材は、ある周波数で、互いに対してあるストロークを備えた往復運動を行い、前記ストロークは、０．０１ｍｍ＜Ｓ＜０．１５ｍｍであり、前記周波数は、Ｑ＞１００Ｈｚであることを特徴とする、請求項２乃至６のうちいずれか１項に記載のシェービング装置。
【請求項８】
前記ストロークは、０．０５ｍｍと０．１ｍｍとの間にあり、前記周波数は、１５０Ｈｚと４００Ｈｚとの間にあることを特徴とする、請求項７に記載のシェービング装置。
【請求項９】
当該シェービング装置は、互いに対して移動可能であり、且つ、少なくとも１つの縁部をそれぞれ備える少なくとも二組の協働する切断部材を備え、該協働する切断部材の各組の前記縁部は協働し、毛を捕捉するために、切断開口が、前記協働する切断部材の各組の前記縁部の間に存在し、前記切断開口は、シェービング方向に見られるときに拡散し、当該シェービング装置の動作中に完全に閉塞されず、前記二組は、シェービング方向に見られるときに連続的に配置され、シェービング方向に見られるときに前方に配置される前記協働する切断部材の少なくとも一組の前記拡散する切断開口は、動作中に皮膚表面に対して斜めに配置されることを特徴とする、請求項１に記載のシェービング装置。
【発明の詳細な説明】
【技術分野】
【０００１】
本発明は、互いに対して移動可能であり、且つ、少なくとも１つの縁部をそれぞれ備える２つの協働する切断部材を含むシェービング装置であり、切断部材の縁部は協働し、毛を捕捉するために、切断部材の縁部の間に切断開口が存在し、切断開口は、装置のシェービング方向に見られるときに拡散するシェービング装置に関する。
【背景技術】
【０００２】
そのようなシェービング装置は、例えば、米国特許第６，３０８，４１５号から既知である。ヘアクリッピング装置又はトリマとも呼ばれる、これらのシェービング装置において、毛は、切断開口又は捕捉開口内の歯の歯縁部の間に捕捉され、引き続き、切断縁部の相互に対する相反運動によって切り落とされる。ここでは、一方の歯、通常、移動切断部材が、他方の歯、通常、固定切断部材の上に完全に移動する、即ち、切断縁部を備える歯縁部は、切断開口が完全に閉塞されるまで、互いに同時に移動する。そのようなシェービング装置の殆どの動作中、１つの移動する歯は、複数の固定歯と重なり合う。毛が動作中に切断開口に進入するのみならず、皮膚も歯の縁部間に多少達する。皮膚は、その弾性のお陰で、互いに向かって２つの相互に協働する切断縁部の運動中、その大部分が切断開口から押し除けられる。それにも拘わらず、これらのシェービング装置は、多くの場合に、依然として皮膚荒れを引き起こし、皮膚損傷が生じる。
【発明の開示】
【発明が解決しようとする課題】
【０００３】
シェービング中、皮膚損傷の危険性が極めて小さく、実際上ない、シェービング装置を提供することが、本発明の目的である。
【課題を解決するための手段】
【０００４】
この目的は、装置の動作中に切断開口が完全に閉塞されない、本発明に従ったシェービング装置によって達成される。驚くべきことに、もし２つの協働する歯の切断縁部が小さな切断開口を開放に残すならば、皮膚損傷が大幅に少ないことが発見された。明らかに、既知のシェービング装置では、皮膚は歯の先端近傍から離れて十分に押し付けられず、その結果、切断縁部はそこで皮膚を損傷する。この問題は、小さな切断開口が歯の間に動作中常に残るシェービング装置によって是正される。
【０００５】
満足な毛の貫通切断のためには、双方の歯縁部が、動作中に切断開口が閉塞される領域に切断縁部を備えることが好ましい。
【０００６】
そのさらなる実施態様は、歯の先端と２つの協働する歯の一方の切断縁部との間のゾーンが、切断動作中に、毛捕捉のための当接部を形成することを特徴とする。
【０００７】
代替的な実施態様において、双方の縁部がそれらの全長に亘って切断縁部を備えることも可能である。
【０００８】
好ましくは、協働する歯縁部間の剪断角度は、５°と２５°との間である。
【０００９】
特に好適な実施態様は、切断部材が、ある周波数Ｑを備えて、あるストロークＳを相互に対して行い、ストロークは、０．０１ｍｍ＜Ｓ＜０．１５ｍｍであり、周波数は、Ｑ＞１００Ｈｚであることを特徴とする。好ましくは、ストロークは、０．０５ｍｍと０．１ｍｍとの間にあり、周波数は、１５０Ｈｚと４００Ｈｚとの間にある。
【００１０】
ストロークは、一方では、シェービング装置の動作中に切断縁部が皮膚を損傷しないよう、他方では、切断縁部間に捕捉される毛に対する恒久的な損傷が行われるように選択される。試験結果は、もしストロークが０．１５ｍｍよりも小さいならば、皮膚は完全に弾性的に切断部材と共に移動することを示した。毛の塑性変形を達成するために、ストロークは少なくとも０．０１でなければならないことがさらに発見された。ストロークは毛の厚さよりも小さいので、毛は多数の切断運動の後まで貫通切断されない。これが可能であるのは、使用者がシェービング中に装置を皮膚の上でストロークに対して垂直な方向に移動するからである。このために、被駆動切断部材の周波数は小さ過ぎてはならない。何故ならば、さもなければ、痛みのある毛の引き抜きが生じるからである。周波数は少なくとも１００Ｈｚであるべきことが発見された。
【００１１】
米国特許第２，２８１，４３４号は、被駆動部材がほぼ０．０２０インチ（＝０．５ｍｍ）の最大ストロークを有し、毛が１回のストロークで貫通切断されるシェービング装置を記載している。毛はほぼ０．２８ｍｍの最大厚さを有するので、後者は最低ストローク長が０．２８ｍｍでなければならないことを意味する。その上、被駆動部材がどの周波数で移動するかは、この特許文献から既知ではない。
【００１２】
図面に示される実施態様を参照して、今や本発明を以下により詳細に説明する。
【発明を実施するための最良の形態】
【００１３】
図１に示されるシェービング装置は、シェービングヘッド２を備える筐体１を含む。シェービングヘッドは、実質的にＶ字形状の歯４の配列を含む固定切断部材３と、同様に実質的にＶ字形状の歯６の配列を含む移動する被駆動切断部材５とを有する。
【００１４】
図２ａ及び２ｂは、協働する切断部材３及び５の多数の歯を２つの状況で示している。被駆動切断部材は、これらの図面中でハッチングを施して示されている。図２ａは、被駆動切断部材５がその１つの極限位置、図面中の左手位置にある状況を示しており、図２ｂは、それを他の極限位置、図面中の右手位置に示している。被駆動切断部材５は、固定切断部材に対して、二重矢印Ｐ１で指し示される、ストローク長Ｓを備える往復運動を遂行する。固定切断部材３の歯４は、傾斜歯縁部７を有し、被駆動切断部材５の歯６は、傾斜歯縁部８を有する。毛捕捉開口又は切断開口９'，９”が、相互に協働する各組の歯の間に存在する。剪断角度とも言われる歯縁部７と歯縁部８との間の角度αは、５°と２５°との間にある。この実施例では、それは２０°であるよう選択されている。往復運動中、切断開口は、決して完全に閉塞されない。１つの極限位置には、小さな切断開口９'が、２つの協働する歯縁部７と歯縁部８との間に存在するのに対し、より大きな切断開口９”が、他の極限位置において、同一の協働する歯縁部間に存在する。
【００１５】
図３ａ乃至ｆは、毛の切断を多数の連続的な段階で示している。ストロークＳは、ほぼ０．０８ｍｍであり、往復する切断部材６の周波数Ｑは、ほぼ２５０Ｈｚである。図面は、毎回、同一の組の相互に協働する歯を示している。図３ａ、３ｃ、及び、３ｅは、切断開口９”が、動作中、１つの極限位置において最大である、２つの協働する歯をそれぞれ示しているのに対し、図３ｂ、３ｄ、及び、３ｆは、切断開口９'が最小である、他の極限位置を示している。よって、切断開口は、往復運動中に決して閉塞されず、常に開放のままである。固定歯４の歯縁部７は、傾斜切断縁部１０を備える（図４ａ、ｂ、ｃ、及び、５ａ、ｂも参照）。被駆動歯６の歯縁部８は、２つのゾーン１１及び１２をそれぞれ有する。第一ゾーン１１は、歯６の先端１３から、歯縁部７，８が切断開口の最小位置でオーバーラップし始める地点１４まで延在している（図３ａ、ｂ、及び、５ａを参照）。このゾーン１２における歯縁部は、歯６の厚さと等しい厚さを有する壁部分１５であり、図面の平面に対して垂直に向けられている。壁部分１５は、切断開口内に捕捉される毛１６のための当接部を構成している。ゾーン２は、前記地点１４から、歯縁部７，８がオーバーラップする領域１７における歯の基部に向かって延在している。協働する歯がオーバーラップする歯６の部分１７の厚さは、歯の残部よりもずっと小さい。これは図５ａ及び５ｂ中に明らかに見られる。ゾーン１４での歯縁部７は、比較的薄く、固定歯４の切断縁部１０のための対応切断縁部１８を形成している。
【００１６】
毛の切断は次の通り生じる。図３ａにおいて、毛１６は、２つの歯の歯縁部間の切断開口内に捕捉される。簡潔性のために、切断開口９”はこの状況において最大であると想定される。引き続き、歯６は右に移動し、切断縁部が特定拒理に亘って毛を貫通して毛にノッチをもたらすよう、歯縁部８の壁部分１５が、毛を固定歯４の切断縁部１０に対して右に押し付ける（図３ｂ及び４ａを参照）。この状況は、図５ａの状況に対応している。従って、壁部分１５を毛のための一種の当接部と見做し得る。図３ｃにおいて、歯６は、再び左に移動される。シェービング中、使用者は装置を皮膚上で歯の往復運動Ｐ１に対して垂直に方向Ｐ２にも移動するので、毛１６は切断開口９”内により深くスライドし、切断縁部１０は、毛にもたらされたノッチ内に留まる。歯が図３ａ及び３ｂよりも図３ｃ及び３ｄにおいて僅かにより高く描写されているのは、このためである。図３ｄ及び４ｂにおいて、歯６は再び右に移動され、切断縁部１０は毛内にさらに一層貫通する。図３ｅにおいて、歯６は左及び上方に再び移動される。毛は今や歯縁部８の対応切断縁部１８のレベルにある。この状況は、図５ｂの状況に対応している。歯６は、この後、再び右に移動し（図３ｆ及び４ｃ）、毛は完全に切断される。最終段階における毛の完全な切断のために、双方の歯縁部が切断縁部を備えるのが好ましい。シェービング中のしばしば不愉快な毛の引き抜きがそれによって回避される。しかしながら、移動する歯６の歯縁部８全体を上記のように２つのゾーンに分割する代わりに、移動する歯６の歯縁部８全体に対応切断縁部を設けることも可能であるのは明らかである。
【００１７】
毛が切断される段階の数は、ストロークＳ及び切断周波数Ｑに依存することは明らかである。
【００１８】
上述の実施例では、１つの切断部材が固定で、他の切断部材が移動する。代替的に、双方の切断部材に往復運動を行わせることも可能である。
【００１９】
例えば、圧電素子に加え、ストローク増幅器を用いて、切断部材の駆動を行い得る。
【００２０】
図面に示されない好適実施態様において、シェービング装置は、相互に移動可能であり且つ少なくとも１つの縁部をそれぞれ備える少なくとも二組の協働する切断部材を含み、協働する切断部材の各組は協働し、切断開口が、毛を捕捉するために、協働する切断部材の各組の縁部の間に存在し、切断開口は、シェービング方向に見られるときに拡散し、装置の動作中に完全に閉塞されず、シェービング方向に見られるとき、二組が連続的に配置され、シェービング方向に見られるときに前方に配置される少なくとの一組の協働する切断部材の拡散する切断開口は、動作中に皮膚表面に対して斜めに配置される。この実施態様において、協働する切断部材の各組は、例えば、図２ａ及び２ｂ、３ａ乃至３ｆ、又は、５ａ及び５ｂに示されるような種類であり得る。切断方向に見られるときに前方に配置される協働する切断部材の組は、装置が皮膚表面上に配置されるときに皮膚表面に対して傾斜位置に配置される。換言すれば、例えば、図２ａ及び２ｂの実施態様が用いられるとき、歯４は皮膚表面上で平らに位置せず、歯４の先端のみが皮膚表面と接触するよう、角を皮膚表面で囲む。その結果、協働する切断部材の拡散する切断開口９'，９”の前方の組も、皮膚表面に対して斜めに配置される。その結果は、毛が歯４の縁部（７，８）間に漸進的に捕捉され、且つ、装置がシェービング方向にさらに移動されるとき、同時に、捕捉された毛は、皮膚から部分的に引き上げられる。次に、これらの毛は、前方の協働する切断部材の組に続く一組の協働する切断部材によって捕捉される。これらの毛は既に部分的に皮膚から引き上げられているので、毛は、初期的には皮膚表面レベルよりも下方にあった位置で、協働する切断部材の第二の組によって捕捉され、且つ、最終的に切断されるので、その結果は、長時間に亘って持続する皮膚の平滑性の向上である。第二の組の協働する切断部材も皮膚表面に対して斜めに傾斜し得るが、これは必要ではないことが付記される。さらに、平滑性をさらに向上し或いは最適化するために、二組よりも多い協働する切断部材を互いに背後に配置し得る。
【図面の簡単な説明】
【００２１】
【図１】本発明に従ったシェービング装置を示す斜視図である。
【図２ａ】協働する切断部材の多数の歯を互いに対して切断部材の２つの極限位置で示す概略図である。
【図２ｂ】協働する切断部材の多数の歯を互いに対して切断部材の２つの極限位置で示す概略図である。
【図３ａ】毛の切断を多数の連続的な段階で示す概略図である。
【図３ｂ】毛の切断を多数の連続的な段階で示す概略図である。
【図３ｃ】毛の切断を多数の連続的な段階で示す概略図である。
【図３ｄ】毛の切断を多数の連続的な段階で示す概略図である。
【図３ｅ】毛の切断を多数の連続的な段階で示す概略図である。
【図３ｆ】毛の切断を多数の連続的な段階で示す概略図である。
【図４ａ】図３ｂの線ＩＶａ−ＩＶａに沿って示す断面図である。
【図４ｂ】図３ｄの線ＩＶｂ−ＩＶｂに沿って示す断面図である。
【図４ｃ】図３ｆの線ＩＶｃ−ＩＶｃに沿って示す断面図である。
【図５ａ】図３ｂの状況を示す斜視図である。
【図５ｂ】図３ｅの状況を示す斜視図である。
【図１】
2007530127.tif 000003
【図２ａ】
2007530127.tif 000004
【図２ｂ】
2007530127.tif 000005
【図３】
2007530127.tif 000006
【図４ａ】
2007530127.tif 000007
【図４ｂ】
2007530127.tif 000008
【図４ｃ】
2007530127.tif 000009
【図５ａ】
2007530127.tif 000010
【図５ｂ】
2007530127.tif 000011
【国際調査報告】
2007530127.tif 000012
2007530127.tif 000013